(57)【要約】【課題】警備動作の説明を円滑に行うとともに、失報事故の発生を防止する。【解決手段】複数のセンサから送信される検知信号によって監視領域における異常を検知する検知部１５６と、一部のセンサの検知信号を無効化させる擬似動作モードと複数のセンサの検知信号がすべて有効となる通常動作モードとを切り替える動作モード切替部１６０と、異常を検知した場合に警報動作を行う警備状態と、異常を検知した場合でも出力を行わない警備解除状態との監視状態を切り替える監視状態切替部１５１と、擬似動作モードへの切り替えに際して、所望のセンサを選択することで、擬似動作モードで不要なセンサから送信される検知信号を検知部において無効化させる状態とし、擬似動作モードから通常動作モードに切り替えられたことを条件として、擬似動作モードで不要なセンサからの検知信号を有効化する状態に戻すセンサ選択部１５９と、を備える。【選択図】図５
2018077801.tif 000002
【特許請求の範囲】
【請求項１】
監視対象となる監視領域に設けられ、人の存在や扉の開閉を検知した場合に検知信号を送信する複数のセンサから送信される前記検知信号によって前記監視領域における異常を検知する検知部と、
前記複数のセンサのうち一部のセンサの前記検知信号を前記検知部において無効化させる擬似動作モードと前記複数のセンサの前記検知信号がすべて有効となる通常動作モードとを切り替える動作モード切替部と、
前記通常動作モードと前記擬似動作モードとの何れかにおいて、前記検知部により前記異常を検知した場合に警報動作を行う警備状態と、前記検知部により前記異常を検知した場合でも前記警報動作を行わない警備解除状態との監視状態を切り替える監視状態切替部と、
前記動作モード切替部による前記擬似動作モードへの切り替えに際して、前記複数のセンサのうち所望のセンサを選択することで、前記擬似動作モードで不要なセンサから送信される前記検知信号を前記検知部において無効化させる状態とし、前記動作モード切替部により前記擬似動作モードから前記通常動作モードに切り替えられたことを条件として、前記擬似動作モードで不要なセンサからの前記検知信号を有効化する状態に戻すセンサ選択部と、
前記通常動作モード下において、前記監視状態切替部により前記警備状態に切り替えられたことを条件として、前記検知部により前記異常を検知した場合に前記警報動作を行う報知部と、
を備えることを特徴とする警備装置。
【請求項２】
前記監視状態切替部は、前記動作モード切替部によって前記擬似動作モードから前記通常動作モードに切り替えられる際に、前記擬似動作モードへの切り替え前の前記通常動作モードの最後の前記監視状態に切り替える、
ことを特徴とする請求項１に記載の警備装置。
【請求項３】
前記動作モード切替部は、監視センタに対して前記通常動作モードから前記擬似動作モードに切り替える旨の信号または前記擬似動作モードから前記通常動作モードに切り替える旨の信号を送信する、
ことを特徴とする請求項１に記載の警備装置。
【請求項４】
前記動作モード切替部は、前記擬似動作モードに切り替えてから所定時間の経過後、前記擬似動作モードから前記通常動作モードに切り替える、
ことを特徴とする請求項１に記載の警備装置。
【請求項５】
前記動作モード切替部は、前記擬似動作モード中の最後の操作から所定時間の経過後、前記擬似動作モードから前記通常動作モードに切り替える、
ことを特徴とする請求項１に記載の警備装置。
【請求項６】
前記動作モード切替部は、前記警備解除状態または警備員がいることがわかる状態で所定の操作が有ったことを条件として、前記擬似動作モードから前記通常動作モードに切り替える、
ことを特徴とする請求項１に記載の警備装置。
【請求項７】
前記報知部は、前記擬似動作モード下においては、前記検知部により前記監視領域への出入りを検知するセンサから前記検知信号が送信された場合であっても、前記警報動作として警報出力を行わない、
ことを特徴とする請求項１ないし６の何れか一項に記載の警備装置。
【請求項８】
前記センサ選択部は、前記所望のセンサとして前記監視領域への出入りの検出に不要なセンサを選択する、
ことを特徴とする請求項１ないし７の何れか一項に記載の警備装置。
【請求項９】
前記センサ選択部は、前記所望のセンサとして前記監視領域への出入りの検出に必要なセンサを選択する、
ことを特徴とする請求項１ないし７の何れか一項に記載の警備装置。
【請求項１０】
前記センサ選択部は、前記所望のセンサを予め決めておき、自動的に当該所望のセンサを選択する、
ことを特徴とする請求項８または９に記載の警備装置。
【請求項１１】
前記報知部は、前記擬似動作モード下においても、前記監視状態切替部により前記警備状態に切り替えられたことを条件として、前記検知部により前記異常を検知した場合に前記警報動作を行うものであって、
前記監視状態切替部により前記警備状態への切り替え操作を行った後、前記報知部による前記警報動作を行わないタイマ時間を設定するタイマ起動部を更に備え、
前記タイマ起動部は、前記擬似動作モード下の前記警備状態における前記タイマ時間を、前記通常動作モード下の前記警備状態における前記タイマ時間よりも短く設定する、
ことを特徴とする請求項１ないし１０の何れか一項に記載の警備装置。
【請求項１２】
コンピュータを、
監視対象となる監視領域に設けられ、人の存在や扉の開閉を検知した場合に検知信号を送信する複数のセンサから送信される前記検知信号によって前記監視領域における異常を検知する検知部と、
前記複数のセンサのうち一部のセンサの前記検知信号を前記検知部において無効化させる擬似動作モードと前記複数のセンサの前記検知信号がすべて有効となる通常動作モードとを切り替える動作モード切替部と、
前記通常動作モードと前記擬似動作モードとの何れかにおいて、前記検知部により前記異常を検知した場合に警報動作を行う警備状態と、前記検知部により前記異常を検知した場合でも前記警報動作を行わない警備解除状態との監視状態を切り替える監視状態切替部と、
前記動作モード切替部による前記擬似動作モードへの切り替えに際して、前記複数のセンサのうち所望のセンサを選択することで、前記擬似動作モードで不要なセンサから送信される前記検知信号を前記検知部において無効化させる状態とし、前記動作モード切替部により前記擬似動作モードから前記通常動作モードに切り替えられたことを条件として、前記擬似動作モードで不要なセンサからの前記検知信号を有効化する状態に戻すセンサ選択部と、
前記通常動作モード下において、前記監視状態切替部により前記警備状態に切り替えられたことを条件として、前記検知部により前記異常を検知した場合に前記警報動作を行う報知部と、
として機能させるためのプログラム。
【発明の詳細な説明】
【技術分野】
【０００１】
本発明は、警備装置およびプログラムに関する。
【背景技術】
【０００２】
従来、監視対象となる建築物や構築物（以下、監視領域という）の複数箇所に設けた各種のセンサから人の存在、扉の開閉等の検知信号を警備装置にて受信し、当該警備装置にて異常状態を検知して監視センタに警報を出力する警備システムが開示されている。警備システムは、異常状態を検知した場合に警報動作を行う警備状態と、異常状態を検知しても警報動作を行わない警備解除状態との監視状態を有している。警備装置は、監視状態の切り替えを行う機能や、監視状態を確認する機能を有している。
【０００３】
また、警備状態への切り替え操作を行った後、監視領域の出入口部分を通って退館する場合、および警備状態の監視領域の出入口部分を通って入館して警備解除状態への切り替え操作を行う場合、警報装置は、所定の時間が経過してから警備状態に切り替えるとともにその旨の信号を監視センタに送信する入退館タイマ機能が知られている。
【０００４】
より詳細には、警備状態への切り替え操作を行った後、監視領域の出入口部分を通って退館する場合、警報装置は、監視領域の出入口部分に設けたセンサから受信する人の存在の検知信号を所定の時間無効化し、所定の時間経過後、当該センサから人の存在の検知信号を受信していない場合は監視センタに警報を出力せず、当該センサから人の存在の検知信号を受信している場合は監視センタに警報を出力する。
【０００５】
一方、警備状態の監視領域の出入口部分を通って入館して警備解除状態への切り替え操作を行う場合、警報装置は、監視領域の出入口部分に設けたセンサから受信する人の存在の検知信号を所定の時間無効化し、所定の時間経過後、当該センサから人の存在の検知信号を受信している場合は監視センタに警報を出力する。なお、警報装置は、所定の時間経過後、当該センサから人の存在の検知信号を受信していない場合であっても、警備解除状態に切り替えられなければ、監視センタに警報を出力する。
【０００６】
さらに、警備状態への切り替え操作の際に、警備装置が監視領域の出入口部分以外に設けたセンサから検知信号を受信している場合、その旨を報知し切り替え操作を無効にする不良退館防止機能が知られている。
【０００７】
このような警備システムは、警備会社等により監視領域に設置される。警備システムを利用するユーザは、当該警備装置の監視状態の切り替え操作、監視状態の確認操作等の操作説明を警備会社等の説明担当者より受ける必要がある。
【０００８】
ところが、警備装置の操作説明に際し、監視領域の出入口部分以外に設けたセンサから検知信号を受信している場合、警備状態への切り替え操作を行っても操作が無効になり、警備状態への切り替え操作を説明できない。また、警備状態への切り替え操作後であって、入退館タイマ機能による所定時間経過後に、監視領域内に人が存在すると、警備装置は直ちに監視センタに警報を出力してしまうことになる。そのため、説明担当者は、監視領域内のユーザに対して動かないように指示するが、現実的ではない。
【０００９】
そこで、近年においては、警備装置の操作説明に際し、説明担当者が、入退館タイマ機能の説明に必要のない、たとえば監視領域の出入口部分以外に設けたセンサから検知信号を受信した場合でも監視センタに警報を出力しない無効化設定を警備装置に対して行うようにしている。
【先行技術文献】
【特許文献】
【００１０】
【特許文献１】特開平１１−２８３１５５号公報
【発明の概要】
【発明が解決しようとする課題】
【００１１】
しかしながら、従来においては、入退館タイマ機能の説明に必要のないセンサからの検知信号を無効化する設定を、監視領域内のセンサ毎にそれぞれ設定しなければならず、非常に手間がかかる作業となっている。
【００１２】
加えて、警備装置の操作説明後に、検知信号を無効化する設定を行ったセンサの内一つでも設定の解除を忘れると、警備状態で監視領域への侵入があった場合も監視センタに警報を出力できない失報事故が発生する可能性もある。
【００１３】
本発明は、上記に鑑みてなされたものであって、警備装置の操作説明に際して検知信号を無効化する設定作業を容易にし、ユーザへの監視状態切り替え操作の説明を円滑に行うことができるとともに、操作説明後に、検知信号を無効化する設定の解除を忘れることがなくなり、警備状態で監視領域への侵入者があった場合に監視センタに警報を出力できない失報事故の発生を防止することができる警備装置およびプログラムを提供することを目的とする。
【課題を解決するための手段】
【００１４】
上述した課題を解決し、目的を達成するために、本発明の警備装置は、監視対象となる監視領域に設けられ、人の存在や扉の開閉を検知した場合に検知信号を送信する複数のセンサから送信される前記検知信号によって前記監視領域における異常を検知する検知部と、前記複数のセンサのうち一部のセンサの前記検知信号を前記検知部において無効化させる擬似動作モードと前記複数のセンサの前記検知信号がすべて有効となる通常動作モードとを切り替える動作モード切替部と、前記通常動作モードと前記擬似動作モードとの何れかにおいて、前記検知部により前記異常を検知した場合に警報動作を行う警備状態と、前記検知部により前記異常を検知した場合でも前記警報動作を行わない警備解除状態との監視状態を切り替える監視状態切替部と、前記動作モード切替部による前記擬似動作モードへの切り替えに際して、前記複数のセンサのうち所望のセンサを選択することで、前記擬似動作モードで不要なセンサから送信される前記検知信号を前記検知部において無効化させる状態とし、前記動作モード切替部により前記擬似動作モードから前記通常動作モードに切り替えられたことを条件として、前記擬似動作モードで不要なセンサからの前記検知信号を有効化する状態に戻すセンサ選択部と、前記通常動作モード下において、前記監視状態切替部により前記警備状態に切り替えられたことを条件として、前記検知部により前記異常を検知した場合に前記警報動作を行う報知部と、を備えることを特徴とする。
【発明の効果】
【００１５】
本発明にかかる警備装置は、警備装置の操作説明に際して監視領域への出入りの検知に必要のない検知信号を無効化する設定作業を容易にし、ユーザへの監視状態切り替え操作の説明を円滑に行うことができるとともに、操作説明後に、検知信号を無効化する設定の解除を忘れることがなくなり、警備状態で監視領域への侵入者があった場合に監視センタに警報を出力できない失報事故の発生を防止することができる、という効果を奏する。
【図面の簡単な説明】
【００１６】
【図１】図１は、本実施の一形態にかかる警備システムの配置例を示す図である。
【図２】図２は、警備装置を含む警備システムを示すブロック図である。
【図３】図３は、サブ操作部を示す正面図である。
【図４】図４は、メイン操作部を示す正面図である。
【図５】図５は、警備装置の機能を示す機能ブロック図である。
【図６】図６は、警備装置における操作説明処理の退館の手順を示すフローチャートである。
【図７】図７は、警備装置における操作説明処理の入館の手順を示すフローチャートである。
【図８】図８は、操作説明処理の際の画面遷移を示す図である。
【発明を実施するための形態】
【００１７】
以下に添付図面を参照して、本発明にかかる警備装置およびプログラムの実施の形態を詳細に説明する。なお、本実施の形態はあくまで一例を示すものであり、本発明を限定するものではない。
【００１８】
ここで、図１は本実施の一形態にかかる警備システム１の配置例を示す図、図２は警備装置１００を含む警備システム１を示すブロック図である。図１に示すように、警備システム１は、警備装置１００と、複数の人感センサ１０１と、開閉センサ１０２と、サブ操作部１１０と、メイン操作部１４０と、を備えている。警備装置１００は、監視対象となる監視領域Ａに設置され、監視領域Ａの警備を行うものである。本実施の形態の監視領域Ａは、例えばオフィスであるとする。監視領域Ａには、複数の人感センサ１０１および開閉センサ１０２が設置されている。なお、図１では開閉センサ１０２を１つのみ図示しているが、これに限るものではなく、複数の開閉センサ１０２が設置されていても良い。
【００１９】
図２に示すように、警備装置１００は、ネットワーク２００を介して監視センタ３００と接続されている。ネットワーク２００は、電話回線、無線ネットワーク、インターネットなどである。また、警備装置１００は、複数の人感センサ１０１および開閉センサ１０２を接続する。
【００２０】
監視センタ３００は、監視領域Ａの異常を検知した警備装置１００からの警報出力を受け、待機中の警備員に対して異常が検知された監視領域Ａへ向かう旨の指示を出すとともに、必要に応じて警察や消防など関係機関への通報を行う。また、監視センタ３００は、監視領域Ａの異常を検知した警備装置１００からの警報出力を受けた場合、監視領域Ａの外にいるユーザが所持する携帯電話等の携帯端末にその旨の連絡を送信する構成としてもよい。
【００２１】
人感センサ１０１は、監視領域Ａ内に複数設置され、当該監視領域Ａに存在する人等を検知した場合、警備装置１００に検知信号を送信する。人感センサ１０１としては、例えば、赤外線の受光量の変化をもとに人の存在を検出する赤外線センサ、赤外線などの受信が遮断されることで人の存在を検出する遮断センサ等が該当する。
【００２２】
開閉センサ１０２は、監視領域Ａの出入口に設置される扉の開閉を検出した場合に検知信号を送信する。開閉センサ１０２は、マグネットにより扉の開閉を検出するマグネットセンサ等が該当する。
【００２３】
次に、警備装置１００の詳細について説明する。
【００２４】
警備装置１００は、監視領域Ａの監視状態が警備状態であるときに、監視領域Ａに入館した不正な入館者（侵入者）などの異常を検知した場合、監視センタ３００に異常通報したり、監視領域Ａ内に警報を出力したりする。
【００２５】
ここで、「監視状態」とは、監視領域Ａにおいて異常検知した際の通報先への警報出力の可否などを定めたものであり、異常を検知したときの警備装置１００の動作を決定するものである。通常の動作モードである通常動作モード下における監視状態としては、警備状態、警備解除状態がある。
【００２６】
まず、「警備状態」とは、通常動作モード下において、主にユーザが退館後、警備を必要とする場合に設定する監視状態である。「警備状態」とは、人感センサ１０１または開閉センサ１０２から送信される検知信号を警備装置１００が受信した場合に、監視センタ３００に異常を知らせる警報を出力する等の警報動作を行う状態である。警報動作は、監視センタ３００への警報送信、監視領域Ａへの報知、履歴を残す動作である。
【００２７】
また、「警備解除状態」とは、通常動作モード下において、主にユーザがオフィス内に在席中、警備を必要としない場合に設定する監視状態である。「警備解除状態」とは、人感センサ１０１または開閉センサ１０２から送信される検知信号を警備装置１００が受信した場合でも、監視センタ３００への警報の出力等の警報動作を行わず、監視領域Ａにおける異常があるとは判断しない状態である。これは、人感センサ１０１または開閉センサ１０２により検知（人の存在の検知、扉の開閉の検知）しても、オフィス内に在館中のユーザを検知したものと判断するためである。
【００２８】
また、警備装置１００は、「通常動作モード」とは別に、警備システム１の監視領域Ａへの設置に際し、ユーザに対して警備装置１００の警備開始操作や警備解除操作等の操作説明を行う際に用いる「擬似動作モード」を有している。擬似動作モード下における監視状態としては、警備状態（以下、擬似警備状態とする）、警備解除状態（以下、擬似警備解除状態とする）がある。
【００２９】
「擬似警備状態」は、擬似動作モード下において、説明担当者によるユーザに対する警備装置１００の操作説明に際して、警備開始操作を行う退館時や警備解除操作を行う入館時に監視領域への出入りの検知に必要のないセンサ（人感センサ１０１または開閉センサ１０２）からの検知信号を受信した場合でも受信していないものとする無効化設定が警備装置１００に設定されている状態である点で、上述した警備状態とは異なる。すなわち、「擬似警備状態」では、警備装置１００の操作説明に際して、警備開始操作時の退館時や警備解除操作時の入館時に監視領域への出入りの検知に必要のないセンサ（人感センサ１０１または開閉センサ１０２）によって異常を検知したときに発せられる検知信号を受信した場合でも、受信していないものとするため、警報動作自体を行わない。
【００３０】
「擬似警備解除状態」は、擬似動作モード下において、説明担当者によるユーザに対する警備装置１００の操作説明に際して、警備開始操作時の退館時や警備解除操作時の入館時に監視領域への出入りの検知に必要のないセンサ（人感センサ１０１または開閉センサ１０２）からの検知信号を受信した場合でも受信していないものとする無効化設定が警備装置１００に設定されている状態である点で、上述した警備解除状態とは異なる。
【００３１】
図２に示すように、警備装置１００は、サブ操作部１１０と、入出力制御部１２０と、通信制御部１３０と、メイン操作部１４０と、制御部１５０と、タイマＴと、を主に備える。ここで、メイン操作部１４０と、入出力制御部１２０と、通信制御部１３０と、制御部１５０と、タイマＴとは、警備装置１００の本体１００ａに備えられている。
【００３２】
なお、図１および図２では、メイン操作部１４０とサブ操作部１１０との両方が設けられているが、メイン操作部１４０のみが設けられていてもよいし、サブ操作部１１０のみが設けられていてもよい。
【００３３】
制御部１５０は、警備装置１００の各部を制御するものである。制御部１５０は、例えばＣＰＵ（Central  Processing  Unit）と、ＲＯＭ（Read  Only  Memory）やＲＡＭ（Random  Access  Memory）などの記憶部とを備えたハードウェア構成となっている。記憶部は、制御部１５０が動作する上で必要な各種プログラムやパラメータ等を記憶している。制御部１５０は、ＣＰＵが記憶部に格納されたプログラムに基づいて動作することにより、各種処理を実行する。
【００３４】
図１に示すように、サブ操作部１１０は、監視領域Ａの出入口の外側に備えられている。なお、サブ操作部１１０は、監視領域Ａの出入口の外側に備えられているものに限るものではなく、監視領域Ａの出入口の内側に備えられていても良い。サブ操作部１１０は、表示部や操作部を備えた操作表示部１１１を有する。なお、特に図示しないが、操作表示部１１１は、カード読み取り部やテンキー入力部を有していても良い。サブ操作部１１０は、操作表示部１１１から監視領域Ａに対して入館または退館する者（ユーザ）による操作入力を受け付ける。
【００３５】
具体的には、サブ操作部１１０は、通常動作モード下において、監視領域Ａへの入館者により、監視状態を警備状態から警備解除状態に切り替える切替操作による入館操作を受け付けたり、監視領域Ａからの退館者により、監視状態を警備解除状態から警備状態に切り替える切替操作による退館操作などを受け付けたりする。そして、サブ操作部１１０は、受け付けた切替操作に応じて切り替わる監視状態（警備状態または警備解除状態）を示す切替信号を、警備装置１００の制御部１５０に送出する。
【００３６】
また、サブ操作部１１０は、説明担当者によるユーザに対する警備装置１００の操作説明に際して、説明担当者により、通常動作モードから擬似動作モードへの切替操作を受け付ける。また、サブ操作部１１０は、説明担当者によるユーザに対する警備装置１００の操作説明の終了後に、説明担当者により、擬似動作モードから通常動作モードに切り替える切替操作を受け付ける。そして、サブ操作部１１０は、受け付けた切替操作に応じて切り替わる擬似動作モードまたは通常動作モードを示す切替信号を、警備装置１００の制御部１５０に送出する。
【００３７】
サブ操作部１１０は、擬似動作モード下において、説明担当者により、擬似警備状態から擬似警備解除状態に切り替える切替操作による入館操作を受け付けたり、説明担当者により、擬似警備解除状態から擬似警備状態に切り替える切替操作などを受け付けたりする。そして、サブ操作部１１０は、受け付けた切替操作に応じて切り替わる擬似警備状態または擬似警備解除状態を示す切替信号を、警備装置１００の制御部１５０に送出する。
【００３８】
ここで、図３はサブ操作部１１０を示す正面図である。図３に示すように、サブ操作部１１０の操作表示部１１１は、警備開始を宣言する操作部である警備開始ボタン１１２、警備解除を宣言する操作部である警備解除ボタン１１３、ランプ点灯時に監視状態が警備状態（警備中）であることを示す表示部である警備ランプ１１４、ランプ点灯時に戸締り異常であることを示す表示部である戸締り異常ランプ１１５を備えている。なお、「戸締り異常」とは、人感センサ１０１および開閉センサ１０２が一つでも検知状態にある場合をいう。
【００３９】
監視状態を警備状態または擬似警備状態に遷移させる際に、警備開始ボタン１１２は、押下される。なお、監視状態を警備状態または擬似警備状態に遷移させる場合、警備開始ボタン１１２の押下後、警備装置１００は、所定の操作を要求する。このように二段階の操作を要求することにより、戸締り異常の状態で切り替え操作を行うことを防止することができる。また、戸締り異常ランプ１１５が点灯する戸締り異常の状態で警備開始ボタン１１２が押下されると、警備装置１００は、異常があるので警備できない旨を出力する。
【００４０】
監視状態を警備解除状態または擬似警備解除状態に遷移させる際に、警備解除ボタン１１３は、押下される。なお、監視状態を警備解除状態または擬似警備解除状態に遷移させる場合、警備解除ボタン１１３の押下後、警備装置１００は、所定の操作を要求する。このように二段階の操作を要求することにより、警備解除中であるにもかかわらず、切り替え操作をしてしまい、人がいる状態で警備状態になることを防止することができる。このようにするのは、二段階操作でない場合には、警備開始操作と警備解除操作が所定の操作のみの全く同じ操作になってしまうためである。すなわち、二段階操作でない場合には、所定の操作がカード操作であれば、カードをかざす操作だけになってしまう。このため、二段階操作でない場合には、監視状態を確認せずにカードをかざしてしまうと、警備解除状態で監視領域Ａに人がいるにもかかわらず監視状態が警備状態に切り替わってしまい、検知信号を受信した警備装置１００は警部動作を行ってしまうことになる。
【００４１】
警備ランプ１１４は、監視状態が警備状態または擬似警備状態である場合には点灯し、監視状態が警備解除状態または擬似警備解除状態である場合には消灯する。戸締り異常ランプ１１５は、戸締りに異常が有る場合には点灯し、戸締りに異常がない場合には消灯する。
【００４２】
メイン操作部１４０は、警備装置１００の本体１００ａに備えられている。メイン操作部１４０は、表示部、操作部やテンキー入力部を備える操作表示部１４１を有する。メイン操作部１４０は、操作表示部１４１から監視領域Ａに対して入館または退館する者（ユーザ）による操作入力を受け付ける。
【００４３】
具体的には、メイン操作部１４０は、通常動作モード下において、監視領域Ａへの入館者により、監視状態を警備状態から警備解除状態に切り替える切替操作による入館操作を受け付けたり、監視領域Ａからの退館者により、監視状態を警備解除状態から警備状態に切り替える切替操作による退館操作などを受け付けたりする。そして、メイン操作部１４０は、受け付けた切替操作に応じて切り替わる監視状態（警備状態または警備解除状態）を示す切替信号を、警備装置１００の制御部１５０に送出する。
【００４４】
また、メイン操作部１４０は、説明担当者によるユーザに対する警備装置１００の操作説明に際して、説明担当者により、通常動作モードから擬似動作モードへの切替操作を受け付ける。また、メイン操作部１４０は、説明担当者によるユーザに対する警備装置１００の操作説明の終了後に、説明担当者により、擬似動作モードから通常動作モードに切り替える切替操作を受け付ける。そして、メイン操作部１４０は、受け付けた切替操作に応じて切り替わる擬似動作モードまたは通常動作モードを示す切替信号を、警備装置１００の制御部１５０に送出する。
【００４５】
メイン操作部１４０は、擬似動作モード下において、説明担当者により、擬似警備状態から擬似警備解除状態に切り替える切替操作による入館操作を受け付けたり、説明担当者により、擬似警備解除状態から擬似警備状態に切り替える切替操作などを受け付けたりする。そして、メイン操作部１４０は、受け付けた切替操作に応じて切り替わる擬似警備状態または擬似警備解除状態を示す切替信号を、警備装置１００の制御部１５０に送出する。
【００４６】
ここで、図４はメイン操作部１４０を示す正面図である。図４に示すように、メイン操作部１４０の操作表示部１４１は、液晶画面である表示部１４２、警備開始を宣言する操作部である警備開始ボタン１４３、警備解除を宣言する操作部である警備解除ボタン１４４、操作部である戸締り確認ボタン１４５、テンキー入力部であるテンキー１４６、操作部である取消ボタン１４７、操作部である決定ボタン１４８を備えている。また、図４に示すように、メイン操作部１４０の操作表示部１４１は、警備開始ボタン１４３の上部に警備状態または擬似警備状態である場合に点灯するＬＥＤ１４３ａ、警備解除ボタン１４４の上部に警備解除状態または擬似警備解除状態である場合に点灯するＬＥＤ１４４ａ、戸締り確認ボタン１４５の上部に戸締りに異常がある場合に点灯するＬＥＤ１４５ａを備えている。
【００４７】
監視状態を警備状態または擬似警備状態に遷移させる際に、警備開始ボタン１４３は、押下される。なお、監視状態を警備状態または擬似警備状態に遷移させる場合、警備開始ボタン１４３の押下後、警備装置１００は、所定の操作（例えば、テンキー１４６から所定の番号の入力）を要求する。このように二段階の操作を要求することにより、戸締り異常の状態で切り替え操作を行うことを防止することができる。また、戸締り異常の状態で警備開始ボタン１４３が押下されると、警備装置１００は、異常があるので警備できない旨を出力する。
【００４８】
監視状態を警備解除状態または擬似警備解除状態に遷移させる際に、警備解除ボタン１４４は、押下される。なお、監視状態を警備解除状態または擬似警備解除状態に遷移させる場合、警備解除ボタン１４４の押下後、警備装置１００は、所定の操作を要求する。このように二段階の操作を要求することにより、警備解除中であるにもかかわらず、切り替え操作をしてしまい、人がいる状態で警備状態になることを防止することができる。
【００４９】
また、警備開始ボタン１４３の上部のＬＥＤ１４３ａは、監視状態が警備状態（警備中）である場合、または擬似動作モードが擬似警備状態である場合に点灯する。警備解除ボタン１４４の上部のＬＥＤ１４４ａは、監視状態が警備解除状態である場合、または擬似動作モードが擬似警備解除状態である場合に点灯する。戸締り確認ボタン１４５の上部のＬＥＤ１４５ａは、戸締りに異常が有る場合には点灯し、戸締りに異常がない場合には消灯する。
【００５０】
入出力制御部１２０は、人感センサ１０１および開閉センサ１０２の入力制御等、種々のデータの入出力を制御する。
【００５１】
通信制御部１３０は、警備装置１００とネットワーク２００との間における通信を制御する。通信制御部１３０は、具体的にはネットワークボードなどが該当する。
【００５２】
タイマＴは、後述するタイマ起動部１５２（図５参照）により設定された所定のタイマ時間（例えば、６０秒）を計時する。
【００５３】
次に、警備装置１００が備える機能について説明する。
【００５４】
ここで、図５は警備装置１００の機能を示す機能ブロック図である。図５に示すように、制御部１５０は、ＣＰＵが記憶部（ＲＯＭやＲＡＭなど）に記憶されたプログラムに従って動作することにより、監視状態切替部１５１と、タイマ起動部１５２と、報知部１５３と、監視状態記憶部１５５と、検知部１５６と、センサ選択部１５９と、動作モード切替部１６０と、動作モード記憶部１５４と、を備える。
【００５５】
動作モード切替部１６０は、メイン操作部１４０またはサブ操作部１１０から通常動作モードまたは擬似動作モードの切替信号を受け取り、通常動作モードまたは擬似動作モードを設定する。
【００５６】
動作モード記憶部１５４は、動作モード切替部１６０によって通常動作モードまたは擬似動作モードのいずれの動作モードに設定されているかを記憶する。また、動作モード記憶部１５４は、通常動作モードから擬似動作モードへ切り替えられた場合、擬似動作モードへの切り替え前の通常動作モードの最後の監視状態も記憶する。
【００５７】
監視状態切替部１５１は、メイン操作部１４０またはサブ操作部１１０から監視状態の切替信号を受け取る。
【００５８】
監視状態切替部１５１は、受取った切替信号（すなわち、切替操作により指定された監視状態）に従って、後述する監視状態記憶部１５５に、切り替え後の監視状態を記憶させることにより、現在の監視領域Ａにおける監視状態を設定する。
【００５９】
本実施の形態では、具体的には、監視状態切替部１５１は、通常動作モード下において、退館者により操作表示部１１１または操作表示部１４１から警備状態の開始操作（警備開始ボタン１１２（警備開始ボタン１４３）の押下後に暗証番号入力）を受け付けた場合、監視状態を警備解除状態から警備状態に切り替える。また、監視状態切替部１５１は、通常動作モード下において、入館者により操作表示部１１１または操作表示部１４１から警備状態の解除操作（警備解除ボタン１１３（警備解除ボタン１４４）の押下後に暗証番号入力）を受けた場合、監視状態を警備状態から警備解除状態に切り替える。なお、ここでは、二段階操作における所定の操作として暗証番号入力を要求するが、これに限るものではなく、例えばカードからの識別番号の読み取り操作を二段階操作における所定の操作としても良い。
【００６０】
さらに、本実施の形態では、監視状態切替部１５１は、擬似動作モード下において、説明担当者によるユーザに対する警備装置１００の操作説明に際して、説明担当者により操作表示部１１１または操作表示部１４１から擬似警備状態の開始操作（例えば、テンキー１４６から所定の番号の入力）を受け付けた場合、監視状態を擬似警備解除状態から擬似警備状態に切り替える。
【００６１】
また、監視状態切替部１５１は、擬似動作モード下において、説明担当者によるユーザに対する警備装置１００の操作説明に際して、説明担当者により操作表示部１４１から擬似警備状態の解除操作を受けた場合、監視状態を擬似警備状態から擬似警備解除状態に切り替える。
【００６２】
検知部１５６は、監視状態が警備状態または擬似警備状態に切り替えられている状態で、人感センサ１０１および開閉センサ１０２から送信される検知信号を受信した場合に、監視領域Ａにおける異常を検知する。具体的には、検知部１５６は、人感センサ１０１から送信される検知信号によって監視領域Ａに在館する人を検知する。検知部１５６は、開閉センサ１０２から送信される検知信号によって監視領域Ａに人が入館または退館したことを検知する。
【００６３】
なお、詳細は後述するが、検知部１５６は、監視状態が擬似警備状態に切り替えられている状態では、所定のセンサから送信される検知信号を無効化する。
【００６４】
監視状態記憶部１５５は、通常動作モード下において、警備状態と警備解除状態とのいずれであるかを記憶する。また、監視状態記憶部１５５は、擬似動作モード下において、擬似警備状態と擬似警備解除状態とのいずれであるかを記憶する。
【００６５】
タイマ起動部１５２は、監視領域Ａへの出入りの検出に必要なセンサ（例えば、開閉センサ１０２）によって監視領域Ａに人が入館したことが検知された場合、または、メイン操作部１４０から警備状態または擬似警備状態の開始操作（例えば、警備開始ボタン１４３の押下後、テンキー１４６から所定の暗証番号の入力）を受け付けた場合、タイマＴに所定のタイマ時間（例えば、６０秒）を設定し、タイマＴを起動する。
【００６６】
報知部１５３は、通常動作モード下において、監視状態が警備状態に切り替えられている状態で、監視領域Ａへの出入りの検出に必要なセンサ（例えば、開閉センサ１０２）によって監視領域Ａに人が入館したことが検知された後、タイマ起動部１５２により起動されたタイマ時間内に監視状態が警備状態から警備解除状態に切り替えられなかった場合、警報動作を実行する。警報動作を実行する場合、報知部１５３は、監視センタ３００への警報送信、監視領域Ａへの報知、履歴を残す動作を並列に行う。報知部１５３は、設定されたタイマ時間経過前は、監視領域Ａへの出入りの検出に必要なセンサ（例えば、開閉センサ１０２）から検知信号を受信した場合であっても、当該検知信号を一時留保し、警報動作を行わない。また、監視領域Ａへの出入りの検出に必要なセンサ（例えば、開閉センサ１０２）以外からの検知信号を受信した場合、報知部１５３は、警報動作を実行することになる。そのため、通常動作モード下において、入退館タイマの説明をする場合には、監視領域Ａへの出入りの検出に必要なセンサ（例えば、開閉センサ１０２）以外からの検知信号を受信した場合、報知部１５３は警報動作を実行することになるので、説明が中断されることになる。
【００６７】
また、検知部１５６は、通常動作モード下において、監視状態が警備解除状態に切り替えられている状態で、メイン操作部１４０から警備状態の開始操作（例えば、警備開始ボタン１４３の押下後、テンキー１４６から所定の暗証番号の入力）が行われるまで、監視領域Ａへの出入りの検出に必要なセンサ（例えば、開閉センサ１０２）からの検知信号を受信した場合、検知信号を無効化する。このようにするのは、退館操作時に警備開始ボタン１４３を押下できるようにするためである。また、検知部１５６は、警備状態の開始操作に伴うタイマ起動部１５２によるタイマ起動後、監視領域Ａへの出入りの検出に必要なセンサ（例えば、開閉センサ１０２）からの検知信号を有効にするが、報知部１５３は警報動作を行わない。このようにするのは、タイマ終了までに監視領域Ａへの出入りの検出に必要なセンサ（例えば、開閉センサ１０２）について検知していない状態にする必要があるため、状態を確認する必要があるからである。
【００６８】
また、報知部１５３は、擬似動作モード下において、監視状態が擬似警備状態に切り替えられている状態で、監視領域Ａへの出入りの検出に必要なセンサ（例えば、開閉センサ１０２）からの検知信号を検知部１５６が受信した後、すなわち監視領域Ａに人が入館したことが検知された後、タイマ起動部１５２により起動されたタイマ時間内に監視状態が擬似警備状態から擬似警備解除状態に切り替えられなかった場合であっても、監視センタ３００に警報出力は行わない。なお、報知部１５３は、監視センタ３００に警報出力は行わないとしたが、警報動作として、監視領域Ａへの報知、履歴を残す動作を行う。
【００６９】
また、検知部１５６は、擬似動作モード下において、監視状態が擬似警備解除状態に切り替えられている状態で、メイン操作部１４０から警備状態の開始操作（例えば、警備開始ボタン１４３の押下後、テンキー１４６から所定の暗証番号の入力）が行われるまで、監視領域Ａへの出入りの検出に必要なセンサ（例えば、開閉センサ１０２）以外からの検知信号は無効化されていて、監視領域Ａへの出入りの検出に必要なセンサ（例えば、開閉センサ１０２）からの検知信号を受信した場合、検知信号を無効化する。このようにするのは、退館操作時に警備開始ボタン１４３を押下できるようにするためであるとともに、退館説明時に人が動いていても説明を妨げないようにするためである。また、検知部１５６は、警備状態の開始操作に伴うタイマ起動部１５２によるタイマ起動後、監視領域Ａへの出入りの検出に必要なセンサ（例えば、開閉センサ１０２）からの検知信号を有効にするが、報知部１５３は警報動作を行わない。このようにするのは、タイマ終了までに監視領域Ａへの出入りの検出に必要なセンサ（例えば、開閉センサ１０２）について検知しない状態にする必要があるため、状態を確認する必要があるからである。
【００７０】
センサ選択部１５９は、通常動作モードから擬似動作モードへの切り替え時、または擬似動作モードにおいて検知信号を無効化するセンサ（擬似動作モードで不要なセンサ（例えば、監視領域Ａへの出入りの検知に不要なセンサ））の選択を受け付ける。ここでは、検知信号を無効化するセンサとして、監視領域Ａの出入口に設置される扉に最も近いセンサである開閉センサ１０２以外を説明担当者が手動で適宜選択することになる。なお、監視領域Ａの出入口に設置される扉に最も近いセンサが人感センサ１０１であれば、当該人感センサ１０１以外のセンサが選択されても良い。
【００７１】
なお、検知信号を無効化する所望のセンサが説明担当者により手動で適宜選択されるのではなく、検知信号を有効化する所望のセンサが説明担当者により手動で適宜選択されるようにしても良い。また、説明担当者が検知信号を無効化する所望のセンサ（または、検知信号を有効化する所望のセンサ）を手動で適宜選択するのではなく、自動的に選択される所望のセンサを予め決めておき、自動的に検知信号を無効化する所望のセンサ（または、検知信号を有効化する所望のセンサ）を選択するようにしても良い。
【００７２】
また、センサ選択部１５９は、動作モード切替部１６０により擬似動作モードから通常動作モードに切り替えられたことを条件として、選択されたセンサ（開閉センサ１０２）について選択を解除された状態に戻す。
【００７３】
検知部１５６は、擬似動作モード下において、監視状態が擬似警備状態に切り替えられている状態においては、上述のようにセンサ選択部１５９において選択された人感センサ１０１から検知信号を受信した場合であっても、当該検知信号を無効化する。したがって、検知信号が無効化された場合、報知部１５３は、警報動作を行うことはない。
【００７４】
次に、警備装置１００における特徴的な処理である操作説明処理について説明する。操作説明処理は、警備装置１００の監視状態の切り替え操作等の操作説明を警備会社の説明担当者より受ける際に実行される。ここで、図６は警備装置１００における操作説明処理の退館の手順を示すフローチャート、図７は警備装置１００における操作説明処理の入館の手順を示すフローチャート、図８は操作説明処理の際の画面遷移を示す図である。
【００７５】
まず、退館の手順について説明する。図６に示すように、警備装置１００は、図８に示す画面ａが表示部１４２に表示された通常動作モード下において所定の操作が有るまで（ステップＳ１１：Ｎｏ）、待機する。ここで、所定の操作とは、メイン操作部１４０のテンキー１４６からの所定の番号の入力等である。
【００７６】
なお、所定の操作（例えばテンキー１４６からの所定の番号の入力）は、通常動作モード下であれば、警備解除状態または警備状態の何れの監視状態であっても良い。ただし、安全のため、「警備解除状態」または「警備員（説明担当者）がいることがわかる状態」であることが望ましい。「警備員（説明担当者）がいることがわかる状態」とは、具体的には、警備員でないとその状態へ遷移できない状態（例えば、警備員が警備システムのメンテナンスを行う状態）、予め警備員がいることを監視センタ３００に連絡しておいて警報があっても監視センタ３００で無視するようにする状態などが挙げられる。
【００７７】
動作モード切替部１６０は、図８に示す画面ａが表示部１４２に表示された通常動作モード下において所定の操作が有ると（ステップＳ１１：Ｙｅｓ）、ステップＳ１２に進む。
【００７８】
次いで、センサ選択部１５９は、検知信号を無効化するセンサの選択を受け付ける（ステップＳ１２）。ここでは、検知信号を無効化するセンサとして、監視領域Ａの出入口に設置される扉に最も近いセンサである開閉センサ１０２以外を説明担当者が手動で選択する。すなわち、検知部１５６は、センサ選択部１５９において選択された人感センサ１０１から検知信号を受信した場合であっても、当該検知信号を無効化する。
【００７９】
検知信号を無効化するセンサが選択されると、動作モード切替部１６０は、通常動作モードから擬似動作モードに切り替え（画面ｂ）を実行する（ステップＳ１３）。より詳細には、動作モード切替部１６０は、動作モード記憶部１５４に現在の動作モードとして擬似動作モードを記憶する。なお、動作モード切替部１６０は、擬似動作モードへの切り替え前の通常動作モードの最後の監視状態も、動作モード記憶部１５４に記憶する。図８に示すように、表示部１４２に表示される画面ｂには、擬似動作モードに切り替わることを示す「擬似動作モード」の文字が表示される。また、画面ｂには、「警備開始操作を実施して下さい。」というガイダンスが表示される。
【００８０】
ここで、監視状態切替部１５１は、擬似動作モード下において、画面ｂに従ってメイン操作部１４０の警備開始ボタン１４３が押下されるまで一定時間待機する（ステップＳ１４）。
【００８１】
メイン操作部１４０の警備開始ボタン１４３の押下が一定時間無かった場合（ステップＳ１４：Ｙｅｓ）、監視状態切替部１５１は、警備を開始したくないものと判定し、ステップＳ１３に戻る。
【００８２】
画面ｂに従ってメイン操作部１４０の警備開始ボタン１４３が押下されると（ステップＳ１４：Ｎｏ）、監視状態切替部１５１は、図８に示す暗証番号入力画面ｃを表示部１４２に表示する（ステップＳ１５）。暗証番号入力画面ｃには、「暗証番号入力エリア」ｘとともに、「暗証番号入力エリア」ｘへのテンキー１４６による暗証番号入力を促す「暗証番号入力」および暗証番号入力後に決定ボタン１４８の押下を促す「入力後に決定押下」のガイダンスが表示されている。これは、前述したように、二段階の操作要求により、戸締り異常の状態で切り替え操作を行うことを防止するためである。
【００８３】
ここで、監視状態切替部１５１は、暗証番号入力画面ｃに入力された暗証番号の正否を判定する。監視状態切替部１５１は、一定時間、暗証番号入力画面ｃに従って正しい暗証番号が入力されるまで（ステップＳ１６：Ｎｏ、ステップＳ１７：Ｎｏ）、待機する。
【００８４】
監視状態切替部１５１は、一定時間、正しい暗証番号が入力されなかった場合（ステップＳ１７：Ｙｅｓ）、ステップＳ１３に戻る。
【００８５】
次いで、一定時間内に、暗証番号入力画面ｃに従って正しい暗証番号が入力されると（ステップＳ１６：Ｙｅｓ）、タイマ起動部１５２は、図８に示す画面ｄを表示部１４２に表示するとともに、タイマＴに退館にかかる所定のタイマ時間（ここでは、６０秒）を設定し、タイマＴを起動する（ステップＳ１８）。画面ｄには、「まもなく警備開始します。」というガイダンスが表示される。なお、この状態においては、メイン操作部１４０の警備開始ボタン１４３の上部のＬＥＤ１４３ａが点滅する。また、サブ操作部１１０の警備ランプ１１４が点滅する。
【００８６】
なお、タイマ起動部１５２は、擬似動作モード下における入退館にかかる所定のタイマ時間を、通常動作モード下における入退館にかかる所定のタイマ時間よりも予め短く設定しても良い。説明のためだけに入退館するので、入退館にそれほど時間がかからないと思われるからである。また、タイマ起動部１５２は、予め設定された入退館にかかる所定のタイマ時間を、所定の操作で短縮または延長できるようにしても良い。
【００８７】
この状態で、説明担当者および説明を受けるユーザは、警備装置１００の操作説明のために、監視領域Ａの出入口に設置される扉から館外（監視領域Ａ外）に出る。なお、擬似動作モード下における擬似警備状態では、検知部１５６は、選択された人感センサ１０１から検知信号を受信した場合であっても当該検知信号を無効にするので、説明担当者および説明を受けるユーザ以外の人が監視領域Ａ内に存在していても問題はない。
【００８８】
ここで、監視状態切替部１５１は、タイマＴにより計時される退館にかかるタイマ時間（ここでは、６０秒）が終了するまで（ステップＳ１９：Ｎｏ）、待機する。
【００８９】
監視状態切替部１５１は、タイマＴにより計時される退館にかかるタイマ時間（ここでは、６０秒）が終了すると（ステップＳ１９：Ｙｅｓ）、擬似動作モード下において、擬似警備解除状態から擬似警備状態への切り替え（画面ｅ）を実行する（ステップＳ２０）。より詳細には、監視状態切替部１５１は、監視状態記憶部１５５に現在の監視状態として擬似警備状態を記憶する。図８に示すように、表示部１４２に表示される画面ｅには、「警備を開始します」というガイダンスが表示される。なお、この状態においては、メイン操作部１４０の警備開始ボタン１４３の上部のＬＥＤ１４３ａが点灯する。また、サブ操作部１１０の警備ランプ１１４が点灯する。
【００９０】
続いて、入館の手順について説明する。図７に示すように、検知部１５６は、検知部１５６により検知信号を無効としない開閉センサ１０２によって扉の開閉が検知されたと判断するまで（ステップＳ２１：Ｎｏ）、待機する。警備装置１００の操作説明のために、説明担当者の指示の下にユーザが、監視領域Ａの出入口に設置される扉を開けて入館するものとする。なお、擬似動作モード下における擬似警備状態では、検知部１５６は、選択された人感センサ１０１から検知信号を受信した場合であっても当該検知信号を無効にするので、説明担当者および説明を受けるユーザ以外の人が監視領域Ａ内に存在していても問題はない。
【００９１】
扉が開けられると、検知部１５６は、開閉センサ１０２によって扉の開閉を検知したときに発せられる検知信号を入出力制御部１２０を介して受信する。
【００９２】
検知部１５６により開閉センサ１０２によって扉の開閉が検知されたと判断した場合（ステップＳ２１：Ｙｅｓ）、タイマ起動部１５２は、タイマＴに入館にかかる所定のタイマ時間（ここでは、６０秒）を設定し、タイマＴを起動する（ステップＳ２２）。
【００９３】
その後、説明担当者および説明を受けるユーザは、警備装置１００の操作説明のために、監視領域Ａの出入口に設置される扉から館内（監視領域Ａ内）に入り、説明担当者の指示の下にユーザがメイン操作部１４０の警備解除ボタン１４４を押下するとともに、暗証番号入力を行う。
【００９４】
監視状態切替部１５１は、タイマＴにより計時されるタイマ時間（ここでは、６０秒）が終了するまでに、警備解除ボタン１４４の押下が有ったか否かを判断する（ステップＳ２３）。
【００９５】
監視状態切替部１５１は、タイマ時間が経過するまでに警備解除ボタン１４４の押下がなかったと判断した場合（ステップＳ２３：Ｎｏ）、擬似動作モード下における擬似警備解除状態への切り替え操作が無かったものとして、擬似動作モード下であるために監視センタ３００に警報を出力することなく、監視領域Ａへの報知および履歴を残す動作を行い（ステップＳ３３）、後述するステップＳ２７に進む。
【００９６】
監視状態切替部１５１は、タイマ時間が経過するまでに警備解除ボタン１４４が押下されたと判断した場合（ステップＳ２３：Ｙｅｓ）、図８に示す暗証番号入力画面ｆを表示部１４２に表示する（ステップＳ２４）。暗証番号入力画面ｆには、「暗証番号入力エリア」ｙとともに、「暗証番号入力エリア」ｙへのテンキー１４６による暗証番号入力を促す「暗証番号入力」および暗証番号入力後に決定ボタン１４８の押下を促す「入力後に決定押下」のガイダンスが表示されている。これは、前述したように、二段階の操作要求により、警備解除中であるにもかかわらず、切り替え操作をしてしまい、人がいる状態で警備状態になることを防止するためである。なお、入館にかかる所定のタイマ時間のカウントダウン表示が併せて表示されても良い。
【００９７】
ここで、監視状態切替部１５１は、暗証番号入力画面ｆに入力された暗証番号の正否を判定する。監視状態切替部１５１は、暗証番号入力画面ｆに従って正しい暗証番号が入力されるまでタイマ時間だけ待機する（ステップＳ２５）。
【００９８】
なお、暗証番号入力画面ｆに従って誤った暗証番号が入力された場合は、監視状態切替部１５１は、暗証番号が間違っている旨を報知した後、再度、図８に示す暗証番号入力画面ｆを表示部１４２に表示する。
【００９９】
タイマ時間が経過するまでに暗証番号入力画面ｆに従って正しい暗証番号が入力されない場合（ステップＳ２５：Ｎｏ）、報知部１５３は、擬似動作モード下における擬似警備解除状態への切り替え操作が無かったものとして、擬似動作モード下であるために監視センタ３００に警報を出力することなく、監視領域Ａへの報知および履歴を残す動作を行い（ステップＳ３３）、処理を終了する。
【０１００】
次いで、タイマ時間が経過するまでに暗証番号入力画面ｆに従って正しい暗証番号が入力されると（ステップＳ２５：Ｙｅｓ）、監視状態切替部１５１は、擬似動作モード下における擬似警備解除状態への切り替え（画面ｇ）を実行する（ステップＳ２６）。より詳細には、監視状態切替部１５１は、監視状態記憶部１５５に現在の監視状態として擬似警備解除状態を記憶する。図８に示すように、表示部１４２に表示される警備解除画面ｇには、「警備を解除します」というガイダンスが表示される。なお、この状態においては、メイン操作部１４０の警備開始ボタン１４３の上部のＬＥＤ１４３ａが消灯し、警備解除ボタン１４４の上部のＬＥＤ１４４ａが点灯する。また、サブ操作部１１０の警備ランプ１１４が消灯する。
【０１０１】
その後、動作モード切替部１６０は、所定の操作が有るまで（ステップＳ２７：Ｎｏ）、待機する。ここで、所定の操作とは、メイン操作部１４０のテンキー１４６からの所定の番号の入力等である。
【０１０２】
そして、所定の操作が有った場合（ステップＳ２７：Ｙｅｓ）、動作モード切替部１６０は、図８に示す画面ｈを表示部１４２に表示する（ステップＳ２８）。画面ｈには、「擬似動作モードを終了します。決定ボタンを押下してください。」というガイダンスが表示される。
【０１０３】
ここで、動作モード切替部１６０は、画面ｈに従ってメイン操作部１４０の決定ボタン１４８が押下されるまで待機する（ステップＳ２９）。
【０１０４】
メイン操作部１４０の決定ボタン１４８の押下が一定時間内に無かった場合（ステップＳ２９：Ｎｏ）、擬似動作モードを終了させたくないものとし、ステップＳ２６に戻る。
【０１０５】
そして、メイン操作部１４０の決定ボタン１４８の押下が有った場合（ステップＳ２９：Ｙｅｓ）、動作モード切替部１６０は、擬似動作モードを抜けて通常動作モードに切り替え（画面ａ）を実行する（ステップＳ３０）。より詳細には、動作モード切替部１６０は、動作モード記憶部１５４に現在の動作モードとして通常動作モードを記憶する。図８に示すように、表示部１４２に表示される通常動作モードに切り替えられた画面ａには、画面ｂ〜ｈに表示されていた「擬似動作モード」の表示が消えている。
【０１０６】
また、監視状態切替部１５１は、動作モード切替部１６０によって擬似動作モードから通常動作モードに切り替えられる際に、ステップＳ１３で動作モード記憶部１５４に記憶した擬似動作モードへの切り替え前の通常動作モードの最後の監視状態に切り替える（ステップＳ３１）。監視状態切替部１５１は、擬似動作モードへの切り替え前の通常動作モードの最後の監視状態を監視状態記憶部１５５に記憶する。
【０１０７】
加えて、センサ選択部１５９は、擬似動作モードから通常動作モードに切り替える際に、検知信号を無効化するセンサとして選択されたセンサ（例えば、人感センサ１０１）について検知信号を有効化する状態に戻し（ステップＳ３２）、図６に示すステップＳ１１に戻る。
【０１０８】
このように本実施の形態によれば、動作モード切替部１６０により通常動作モードから擬似動作モードに切り替えられたことを条件として、センサ選択部１５９は人感センサ１０１および開閉センサ１０２のうち監視領域Ａへの出入りの検知に必要な開閉センサ１０２以外を選択し、開閉センサ１０２以外の選択された人感センサ１０１から送信される検知信号を検知部１５６において無効化する。これにより、報知部１５３は、擬似動作モードに切り替えられている状態においては、センサ選択部１５９において開閉センサ１０２以外の選択された人感センサ１０１から検知信号を受信した場合であっても、検知部１５６は当該検知信号を無効化するので、説明担当者および説明を受けるユーザ以外の人が監視領域Ａ内に存在していても問題はなく、操作説明に際して検知信号を無効化する設定作業を容易にし、ユーザへの警備動作の説明を円滑に行うことができる。
【０１０９】
また、動作モード切替部１６０により擬似動作モードから通常動作モードに切り替えられたことを条件として、センサ選択部１５９は検知信号を無効化するセンサとして選択されたセンサ（例えば、人感センサ１０１）について検知信号を有効化する状態に戻すことにより、操作説明後に、検知信号を無効化する設定の解除を忘れることがなくなり、監視領域Ａへの侵入者があった場合に警報出力を実行できない失報事故の発生を防止することができる。
【０１１０】
なお、本実施形態によれば、所定の操作をトリガーとして、擬似動作モードの開始および終了を行うようにしたが、警備装置１００の動作モード切替部１６０は、所定の操作があった場合、警備装置１００から監視センタ３００に対して通常動作モードから擬似動作モードに切り替える旨の信号または擬似動作モードから通常動作モードに切り替える旨の信号を送信し、監視センタ３００で擬似動作モードの開始および終了を確認するようにしても良い。このように監視センタ３００に対して通常動作モードから擬似動作モードに切り替える旨の信号または擬似動作モードから通常動作モードに切り替える旨の信号を送信することにより、監視センタ３００においても履歴を残すことができる。また、説明担当者が監視センタ３００に監視領域Ａを離れることを連絡した後も擬似動作モードから通常動作モードに切り替えられなかった場合には、監視センタ３００側で警報を出力するようにしても良い。
【０１１１】
また、警備装置１００の動作モード切替部１６０は、所定の操作をトリガーとして擬似動作モードに移行して、擬似警備解除状態から擬似警備状態への切り替え（画面ｅ）を実行した後（図６のステップＳ２０）、擬似動作モードの開始からタイマ計時による所定時間（例えば、１５分）が経過した場合、操作説明が終了したものとして、擬似動作モードを終了して通常動作モードに切り替えるようにしても良い。これにより、たとえば擬似動作モードへの切り替えが誤操作であった場合にも、安全な状態に移行させることができる（フェールセーフ）。
【０１１２】
さらに、警備装置１００の動作モード切替部１６０は、所定の操作をトリガーとして擬似動作モードに移行して、擬似警備解除状態から擬似警備状態への切り替え（画面ｅ）を実行した後（図６のステップＳ２０）、擬似動作モード中の最後の操作からタイマ計時による所定時間（例えば、１５分）が経過した場合、操作説明が終了したものとして、擬似動作モードを終了して通常動作モードに切り替えるようにしても良い。これにより、たとえば擬似動作モードへの切り替えが誤操作であった場合や、擬似動作モードへの切り替え後に誤操作があった場合にも、安全な状態に移行させることができる（フェールセーフ）。
【０１１３】
なお、本実施の形態の警備装置１００で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【０１１４】
また、本実施の形態の警備装置１００で実行されるプログラムを、インターネット等のネットワークに接続されたコンピュータ上に格納し、ネットワーク経由でダウンロードさせることにより提供するように構成しても良い。また、本実施の形態の警備装置１００で実行されるプログラムをインターネット等のネットワーク経由で提供または配布するように構成しても良い。
【符号の説明】
【０１１５】
１        警備システム
１００    警備装置
１０１，１０２    センサ
１４６    テンキー
１５１    監視状態切替部
１５２    タイマ起動部
１５３    報知部
１５６    検知部
１５９    センサ選択部
Ａ        監視領域
【図１】
2018077801.tif 000003
【図２】
2018077801.tif 000004
【図３】
2018077801.tif 000005
【図４】
2018077801.tif 000006
【図５】
2018077801.tif 000007
【図６】
2018077801.tif 000008
【図７】
2018077801.tif 000009
【図８】
2018077801.tif 000010